【手続補正書】
【提出日】平成17年10月25日(2005.10.25)
【手続補正１】
【補正対象書類名】明細書
【補正対象項目名】特許請求の範囲
【補正方法】変更
【補正の内容】
【特許請求の範囲】
【請求項１】
部品（１８）を包装材料（１２）に取付ける部品取付け手段（７４）を包含する機械（１０）と、部品供給手段（３０）を包含すると共にそれ自体前記機械（１０）から独立している部品供給装置（１６）と、この装置（１６）から前記機械（１０）にまで延びて、前記部品（１８）を前記装置（１６）から前記機械（１０）に移送する働きをなす移送手段（１４）との組合せにおいて、前記移送手段（１４）が空気式移送手段（１４）から成ることを特徴とする組合せ。
【請求項２】
更に、他の部品（１８）を包装材料（１２）に取付ける第２の部品取付け手段（７４）を包含する第２の機械（１０）と、前記装置（１６）から前記第２の機械（１０）にまで延びて、前記他の部品（１８）を前記装置（１６）から前記第２の機械（１０）に移送する第２の移送手段（１４）とを包含し、前記装置（１６）がそれ自体前記第２の機械（１０）からも独立している請求項１記載の組合せ。
【請求項３】
前記第２の移送手段（１４）が第２の空気式移送手段（１４）から成る請求項２記載の組合せ。
【請求項４】
前記機械（１０）がそれぞれの包装材料（１２）を前進せしめるように配置された複数のコンベヤ手段を包含し、かつ前記部品取付け手段（７４）が前記機械（１０）のそれぞれのコンベヤ手段に関連する複数の部品アプリケータ（７４）から成る請求項１〜３のいずれか一項に記載の組合せ。
【請求項５】
前記移送手段（１４）が複数の移送トラック（１４）から成り、かつ前記装置（１６）が、更に、配向せしめた部品（１８）を放出する放出トラック（３４）と、この放出トラック（３４）から前記配向せしめた部品（１８）を受取って前記移送トラック（１４）の各々に分配せしめるように配置された分配装置（４０）とを包含している請求項１〜４のいずれか一項に記載の組合せ。
【請求項６】
前記分配装置（４０）がスライドシャトル（５２）を包含している請求項５記載の組合せ。
【請求項７】
前記分配装置（４０）が、更に、固定通路手段（６０）と、この通路手段（６０）に圧縮ガスを供給し、前記通路手段（６０）が常に前記圧縮ガスを複数の前記移送トラック（１４）のうちの選定されたトラックに向けるようにさせる圧縮ガス源（６２）と、前記移送トラック（１４）を前記スライドシャトル（５２）に取付ける保持手段（４６）と、前記スライドシャトル（５２）を横方向に動かし、これにより前記移送トラック（１４）の入口端を前記通路手段（６０）に選択的に整列させて、前記部品（１８）を前記圧縮ガスの吹き付けにより前記移送トラック（１４）を通して前記部品取付け手段（７４）にまで送るようにさせるプログラム式駆動手段（５０）とを包含している請求項６記載の組合せ。
【請求項８】
前記固定通路手段（６０）が複数の固定通路（６０）から成り、かつ複数の前記移送トラック（１４）及び前記保持手段（４６）が前記プログラム式駆動手段（５０）により選択的に交互に動かされて前記固定通路（６０）の各々に整列させられる請求項７記載の組合せ。
【請求項９】
更に、前記機械（１０）におけるそれぞれの移送トラック（１４）に配置された部品検出手段（７２）を包含し、これらの部品検出手段（７２）は前記機械（１０）における移送トラック（１４）のそれぞれの部分が部品（１８）で一杯であるときに前記プログラム式駆動手段（５０）に信号を送るようにする請求項５〜８のいずれか一項に記載の組合せ。
【請求項１０】
前記装置（１６）が、更に、前記部品（１８）を前記装置（１６）から一掃せしめる働きをなすクリーンアウトトラック（１４’）を包含している請求項１〜９のいずれか一項に記載の組合せ。
【請求項１１】
部品（１８）を材料（１２）に取付ける部品取付け手段（７４）を包含する少なくとも１台の機械（１０）と、部品供給手段（３０）を包含する部品供給装置（１６）と、この装置（１６）から前記機械（１０）にまで延びて、前記部品（１８）を前記装置（１６）から前記機械（１０）に移送する働きをなす移送手段（１４）との組合せにおいて、前記移送手段（１４）が複数の移送トラック（１４）から成り、かつ前記装置（１６）が、更に、前記部品（１８）を放出する放出トラック（３４）と、この放出トラック（３４）から前記部品（１８）を受取って前記移送トラック（１４）の各々に分配せしめるように配置された分配装置（４０）とを包含していることを特徴とする組合せ。
【請求項１２】
前記分配装置（４０）がスライドシャトル（５２）を包含している請求項１１記載の組合せ。
【請求項１３】
前記分配装置（４０）が、更に、固定通路手段（６０）と、この通路手段（６０）に圧縮ガスを供給し、前記通路手段（６０）が常に前記圧縮ガスを複数の前記移送トラック（１４）のうちの選定されたトラックに向けるようにさせる圧縮ガス源（６２）と、前記移送トラック（１４）を前記スライドシャトル（５２）に取付ける保持手段（４６）と、前記スライドシャトル（５２）を横方向に動かし、これにより前記移送トラック（１４）の入口端を前記通路手段（６０）に選択的に整列させて、前記部品（１８）を前記圧縮ガスの吹き付けにより前記移送トラック（１４）を通して前記部品取付け手段（７４）にまで送るようにさせるプログラム式駆動手段（５０）とを包含している請求項１２記載の組合せ。
【請求項１４】
複数の前記移送トラック（１４）及び前記保持手段（４６）が、前記プログラム式駆動手段（５０）により選択的に交互に動かされて前記固定通路手段（６０）に整列させられる請求項１３記載の組合せ。
【請求項１５】
更に、前記機械（１０）におけるそれぞれの移送トラック（１４）に配置された部品検出手段（７２）を包含し、これらの部品検出手段（７２）は前記機械（１０）における移送トラック（１４）のそれぞれの部分が部品（１８）で一杯であるときに前記プログラム式駆動手段（５０）に信号を送るようにする請求項１１〜１４のいずれか一項に記載の組合せ。
【請求項１６】
前記機械（１０）がそれぞれの材料（１２）を前進せしめるように配置された複数のコンベヤ手段を包含し、かつ前記部品取付け手段（７４）が前記機械（１０）のそれぞれのコンベヤ手段に関連する複数の部品アプリケータから成る請求項１１〜１５のいずれか一項に記載の組合せ。
【請求項１７】
前記機械（１０）が包装機械（１０）である請求項１１〜１６のいずれか一項に記載の組合せ。
【請求項１８】
前記装置（１６）が、更に、前記部品（１８）を前記装置（１６）から一掃せしめる働きをなすクリーンアウトトラック（１４’）を包含している請求項１１〜１７のいずれか一項に記載の組合せ。
【請求項１９】
部品（１８）を包装材料（１２）に取付ける部品取付け手段（７４）を包含する機械（１０）と、部品供給手段（３０）を包含する部品供給装置（１６）と、この装置（１６）から前記機械（１０）にまで延びて、前記部品（１８）を前記装置（１６）から前記機械（１０）に移送する働きをなす移送手段（１４）との組合せにおいて、前記装置（１６）が前記部品（１８）を前記装置（１６）から一掃せしめる働きをなすクリーンアウトトラック（１４’）を包含していることを特徴とする組合せ。
【請求項２０】
前記移送手段（１４）が複数の移送トラック（１４）から成り、かつ前記装置（１６）が、更に、前記部品（１８）を放出する放出トラック（３４）と、この放出トラック（３４）から前記部品（１８）を受取って前記移送トラック（１４）又は前記クリーンアウトトラック（１４）に分配せしめるように配置された分配装置（４０）とを包含している請求項１９記載の組合せ。
【請求項２１】
前記分配装置（４０）が、スライドシャトル（５２）と、固定通路手段（６０）と、この通路手段（６０）に圧縮ガスを供給し、前記通路手段（６０）が常に前記圧縮ガスを複数の前記移送トラック（１４）のうちの選定されたトラック又は前記クリーンアウトトラック（１４’）に向けるようにさせる圧縮ガス源（６２）と、前記移送トラック（１４）及び前記クリーンアウトトラック（１４’）を前記スライドシャトル（５２）に取付ける保持手段（４６，４６’）と、前記スライドシャトル（５２）を横方向に動かし、これにより前記移送トラック（１４）又は前記クリーンアウトトラック（１４’）の入口端を前記通路手段（６０）に選択的に整列させて、前記部品（１８）を前記圧縮ガスの吹き付けにより前記移送トラック（１４）又は前記クリーンアウトトラック（１４’）を通して送るようにさせるプログラム式駆動手段（５０）とを包含している請求項２０記載の組合せ。